(57)【特許請求の範囲】
【請求項１】
−  各々が顧客と前記顧客がサブスクライブされているサービスとに対応する、複数のサービスアカウントを記憶するステップと、
−  サービスを使用するための顧客からの要求を受信するステップと、
−  かかる顧客と前記要求されたサービスまたはそのサービスプロバイダとを認証するときに、サービスアカウントを判断するステップと、前記サービスアカウントに対応するコンフィデンシャルサービスアカウントコンテンツを照会するステップであって、前記照会するステップが、前記サービスプロバイダとリアルタイム通信するステップを含み、前記サービスプロバイダが、前記コンフィデンシャルサービスアカウントコンテンツへのリアルタイムアクセスを提供する、照会するステップと
を含む、複数のサービスのうち１つのサービスへのユニバーサルアクセスをコンピュータに提供させるための方法において、
当該方法はさらに、かかる顧客を認証するときに、前記顧客の認証コードにリンクされた複数の認証手段のうち任意の利用可能な認証手段をハッシングするステップを含むことを特徴とする方法。
【請求項２】
請求項１に記載の複数のサービスのうち１つのサービスへのユニバーサルアクセスを提供するための方法において、前記顧客の認証が、チップカード、磁気ストリップカード、ＲＦＩＤカード、ＲＦＩＤタグ、電話、モバイルフォン、Ｂｌｕｅｔｏｏｔｈデバイス、バーコード、又はＭＡＣアドレスをハッシングすることを含むことを特徴とする方法。
【請求項３】
請求項１〜２の何れか一項に記載の複数のサービスのうち１つのサービスへのユニバーサルアクセスを提供するための方法において、前記コンフィデンシャルサービスアカウントコンテンツを前記顧客の金融アカウントと関連付けることをさらに含むことを特徴する方法。
【請求項４】
請求項１〜３の何れか一項に記載の複数のサービスのうち１つのサービスへのユニバーサルアクセスを提供するための方法において、前記サービスが、バンキングサービス、ロイヤルティプログラム、保証サービス、レンタルサービス、前払いサービス、クーポンサービス、チケット販売サービス、医療サービス、又は行政サービスであることを特徴とする方法。
【請求項５】
請求項１〜４の何れか一項に記載の複数のサービスのうち１つのサービスへのユニバーサルアクセスを提供するための方法において、前記サービスプロバイダに新しいコンフィデンシャルサービスアカウントコンテンツを送信するステップをさらに含むことを特徴とする方法。
【請求項６】
請求項１〜５の何れか一項に記載の複数のサービスのうち１つのサービスへのユニバーサルアクセスを提供するための方法において、前記照会するステップが、前記顧客および前記サービスプロバイダ以外の前記サービスに関与する当事者に、通信ダッシュボードを介して特定のコンフィデンシャルサービスアカウントデータを通信するステップをさらに含むことを特徴とする方法。
【請求項７】
請求項６に記載の方法において、前記サービスがマルチロールロイヤルティプログラムであることを特徴とする方法。
【請求項８】
−  各々が顧客と前記顧客がサブスクライブされているサービスとに対応する、複数のサービスアカウントを記憶するための手段と、
−  かかる顧客と要求されたサービスまたはそのサービスプロバイダとを認証したときに、サービスアカウントを判断するための判断手段と、
−  前記顧客を認証するための認証手段と、
−  前記サービスアカウントに対応するコンフィデンシャルサービスアカウントコンテンツを照会するための照会手段であって、前記照会手段が、前記サービスプロバイダとリアルタイムで通信するように適合され、前記サービスプロバイダが、前記コンフィデンシャルサービスアカウントコンテンツへのリアルタイムアクセスを提供する、照会手段と
を備える、複数のサービスのうち１つのサービスへのユニバーサルアクセスを提供するためのシステムにおいて、
前記認証手段が、前記顧客の認証コードにリンクされた複数の認証手段のうち任意の利用可能な認証手段をハッシングするように適合されることを特徴とするシステム。
【請求項９】
請求項８に記載のサービスへのユニバーサルアクセスを提供するためのシステムにおいて、前記認証手段が、チップカード、磁気ストリップカード、ＲＦＩＤカード、ＲＦＩＤタグ、電話、モバイルフォン、Ｂｌｕｅｔｏｏｔｈデバイス、バーコード、又はＭＡＣアドレスのような任意の認証手段から、顧客の認証コードを読み取るための任意の種類のツールを備えることを特徴とするシステム。
【請求項１０】
請求項８に記載の複数のサービスのうち１つのサービスへのユニバーサルアクセスを提供するためのシステムにおいて、前記サービスが、バンキングサービス、ロイヤルティプログラム、保証サービス、レンタルサービス、前払いサービス、クーポンサービス、チケット販売サービス、医療サービス、又は行政サービスであることを特徴とするシステム。
【請求項１１】
請求項８〜１０の何れか一項に記載の複数のサービスのうち１つのサービスへのユニバーサルアクセスを提供するためのシステムにおいて、前記照会手段が、役割固有のコンフィデンシャルサービスアカウントデータを提供するための通信ダッシュボードを備えることを特徴とするシステム。
【請求項１２】
請求項１１に記載の複数のサービスのうち１つのサービスへのユニバーサルアクセスを提供するためのシステムにおいて、前記サービスがマルチロールロイヤルティプログラムであることを特徴とするシステム。
【請求項１３】
請求項８〜１０の何れか一項に記載のユニバーサルアクセスを提供するためのシステムを使用することを特徴とするマルチロールロイヤルティプログラム。
【請求項１４】
請求項１〜７の何れか一項に記載のユニバーサルアクセスを提供するための方法を使用することを特徴とするマルチロールロイヤルティプログラム。
【請求項１５】
請求項１３または１４の何れか一項に記載のマルチロールロイヤルティプログラムにおいて、役割ごとに通信ダッシュボードが提供されることを特徴とするプログラム。
【発明の詳細な説明】
【技術分野】
【０００１】
本発明は、複数のサービスのうち１つのサービスへのユニバーサルアクセスを提供するための方法およびシステムに関する。
【背景技術】
【０００２】
現在、顧客は、多数のポイントカード、バンクカード、クレジットカード、バッジ、および、たとえば、銀行アカウント、ロイヤリティプログラムアカウントなど、顧客がサブスクライブされているすべての種類のサービスに関連する他の認証手段を収集している。
【０００３】
既知の一般的な問題は、そのような多数のカードを維持することは困難であり、また、それらをすべてハンドバッグまたは財布の中に入れて常に携帯することも、サービスを使用するときに、あるいは店舗または銀行を訪れるときに利用可能な正しい有効なカードを確実に持っていることも困難であることである。
【０００４】
上記の問題を克服しようとして、米国特許出願第２０１０／００４２５１７号明細書には、ロイヤリティプログラムアカウントおよび／または金融アカウントへのユニバーサルアクセスを提供するための方法について記載されている。さらに、この特許出願は、複数のロイヤルティアカウントおよび／または金融アカウントにアクセスするためのユニフォームロイヤリティプログラムアカウントデバイスについて記載している。このデバイスは、ロイヤリティプログラムアカウントおよび／または金融アカウントに関するアカウント情報を記憶するように構成された記憶機構を含む。
【０００５】
しかしながら、上記方法およびデバイスの欠点は、サービスアカウントと対応するアカウント情報とのコレクションが中央サーバに記憶されることであり、したがって、それは、サービスプロバイダが、コンフィデンシャルサービスアカウントコンテンツをユニバーサルアクセスシステムと共有しなければならないこと意味する。ほとんどのサービスプロバイダは、プライバシー上の理由およびセキュリティ上の理由により、コンフィデンシャルサービスアカウントコンテンツを共有することに積極的ではない。
【０００６】
上記方法およびデバイスの別の欠点は、サービスプロバイダのデータベースからユニバーサルアクセスシステムデータベース中にサービスアカウントコンテンツを複製しなければならないことであり、それは実際に、メモリ空間の浪費を意味する。
【０００７】
さらなる欠点は、サービスアカウントコンテンツの複製がある特定の頻度で実行されるので、顧客が、まだ最新ではないサービスアカウントコンテンツのサービスを使用しようとする状況を回避するために、プロビジョンを実行しなければならないということである。
【０００８】
既知の方法およびシステムのさらに別の欠点は、専用のユニバーサル認証手段、たとえば、専用のＩＤカードを発行しなければならず、顧客は、サービスを利用したいと希望するたびにその認証手段を携帯している必要がある。
【０００９】
上記を考慮し、第１の目的として、本発明は、コンフィデンシャルサービスアカウントコンテンツをユニバーサルアクセスシステムと共有する必要がない、複数のサービスのうち１つのサービスへのユニバーサルアクセスを提供するための方法およびシステムを提供し、その結果、プライバシー上の問題およびセキュリティ上の問題が低減される、あるいは、最小限に抑えられることさえある。
【００１０】
本発明の別の目的は、サービスアカウントコンテンツを複製する必要がない、複数のサービスのうち１つのサービスへのユニバーサルアクセスを提供するための方法およびシステムを提供することであり、その結果、メモリ空間が節約される。
【００１１】
さらに、本発明の目的は、顧客およびサービスプロバイダに最新のサービスアカウントコンテンツを配信する能力を有する、複数のサービスのうち１つのサービスへのユニバーサルアクセスを提供するための方法およびシステムを提供することである。
【００１２】
本発明の別の目的は、追加の専用ユニバーサル認証手段を発行する必要がなく、顧客がサービスを利用したいと希望するたびに専用のユニバーサル認証手段を携帯しているかどうかに左右されない方法およびシステムを提供することである。
【００１３】
追加の本発明の目的は、ビジネスインテリジェンスアプリケーションの簡単な実装を可能にする、複数のサービスのうち１つのサービスへのユニバーサルアクセスを提供するための方法およびシステムを提供することである。
【００１４】
本発明は、サービスプロバイダとのリアルタイム通信を介してコンフィデンシャルサービスアカウントコンテンツをコンサルタントすることによって上記目的を満たし、サービスプロバイダは、前記コンフィデンシャルサービスアカウントコンテンツへのリアルタイムアクセスを提供する。
【発明の概要】
【００１５】
本発明は、
−  各々が顧客と前記顧客がサブスクライブされているサービスとに対応する、複数のサービスアカウントを記憶するステップと、
−  サービスを使用するための顧客からの要求を受信するステップと、
−  かかる顧客と前記要求されたサービスまたはそのサービスプロバイダとの認証時に、サービスアカウントを判断するステップと、
−  前記サービスアカウントに対応するコンフィデンシャルサービスアカウントコンテンツをコンサルタントするステップと、
を含む、複数のサービスのうち１つのサービスへのユニバーサルアクセスを提供するための方法において、
前記コンフィデンシャルサービスアカウントコンテンツをコンサルタントするステップが、前記サービスプロバイダとリアルタイム通信するステップを含み、前記サービスプロバイダが、前記コンフィデンシャルサービスアカウントコンテンツへのリアルタイムアクセスを提供することを特徴とする方法に関する。
【００１６】
さらに、本発明は、
−  各々が顧客と前記顧客がサブスクライブされているサービスとに対応する、複数のサービスアカウントを記憶するための手段と、
−  かかる顧客と要求されたサービスまたはそのサービスプロバイダとの認証時に、サービスアカウントを判断するための判断手段と、
−  前記サービスアカウントに対応するコンフィデンシャルサービスアカウントコンテンツをコンサルタントするためのコンサルティング手段と
を備える、複数のサービスのうち１つのサービスへのユニバーサルアクセスを提供するためのシステムにおいて、
前記認証手段が、前記サービスプロバイダとリアルタイムで通信するように適合され、前記サービスプロバイダが、前記コンフィデンシャルサービスアカウントコンテンツへのリアルタイムアクセスを提供することを特徴とするシステムに関する。
【図面の簡単な説明】
【００１７】
【図１】図１は、本発明による方法およびシステムの一実施形態を示す。
【図２】図２は、本発明による方法およびシステムの別の実施形態を示す。
【図３】図３は、本発明によるマルチロールロイヤルティプログラムを示した。
【発明を実施するための形態】
【００１８】
本発明の文脈では、複数のサービスのうち１つのサービスは、任意の種類のサービスであり得、顧客は、たとえば、バンキングサービス、ロイヤルティプログラム、保証サービス、レンタルサービス、前払いサービス、クーポンサービス、チケット販売サービス、医療サービス、行政サービスなどにサブスクライブされ得る。
【００１９】
さらに本発明の文脈では、顧客とは、上述したようなサービスを利用しようとする、個人だけでなく、たとえば、家族、クラブ、組合、会社などの人々のグループと理解すべきである。
【００２０】
さらに、サービスプロバイダとは、上述したようなサービスを提供するサプライヤと理解すべきである。
【００２１】
本発明の文脈では、コンフィデンシャルサービスアカウントコンテンツとは、プライバシー上の理由、セキュリティ上の理由、または任意の他の理由で、顧客、サービスプロバイダ、政府などからの認可なしには開示することができないサービスアカウントの任意のコンテンツと理解すべきである。
【００２２】
本発明の実施形態によれば、
−  各々が顧客と前記顧客がサブスクライブされているサービスとに対応する、複数のサービスアカウントを記憶するステップと、
−  サービスを使用するための顧客からの要求を受信するステップと、
−  かかる顧客と要求されたサービスまたはそのサービスプロバイダとの認証時に、サービスアカウントを判断するステップと、
−  前記サービスアカウントに対応するコンフィデンシャルサービスアカウントコンテンツをコンサルタントするステップと
を含む、複数のサービスのうち１つのサービスへのユニバーサルアクセスを提供するための方法において、
前記コンフィデンシャルサービスアカウントコンテンツをコンサルタントするステップが、前記サービスプロバイダとリアルタイム通信するステップを含み、前記サービスプロバイダが、前記コンフィデンシャルサービスアカウントコンテンツへのリアルタイムアクセスを提供することを特徴とする方法が提供される。
【００２３】
サービスプロバイダとのリアルタイム通信時にコンフィデンシャルサービスアカウントコンテンツをコンサルタントするステップであって、サービスプロバイダにより、コンフィデンシャルサービスアカウントコンテンツへのリアルタイムアクセスが可能になる、コンサルタントするステップの第１の利点は、コンフィデンシャルサービスアカウントコンテンツを、サービスアカウントデータベースと共有する、または、そこに記憶する必要がないことである。顧客と要求されたサービスまたはそのサービスプロバイダとの認証のために必要とされる情報のみがサービスアカウントデータベースに記憶され、それにより、プライバシー上の問題およびセキュリティ上の問題が低減される、あるいは、最小限に抑えられることさえある。
【００２４】
別の利点は、サービスプロバイダのデータベースからサービスアカウントコンテンツを複製する必要がなく、それにより、メモリ空間を節約することができる。
【００２５】
さらなる利点は、リアルタイム通信およびリアルタイムアクセスに起因して、かかる方法が、顧客およびサービスプロバイダに最新のサービスアカウントコンテンツを配信する能力を有し得ることである。
【００２６】
本発明の一実施形態では、顧客の認証は、チップカード、磁気ストリップカード、ＲＦＩＤカード、ＲＦＩＤタグ、電話、モバイルフォン、Ｂｌｕｅｔｏｏｔｈデバイス、バーコード、媒体アクセス制御（ＭＡＣ）アドレスなどのような任意の利用可能な認証手段から顧客の認証コードをハッシングすることを含み得る。使用されるハッシュアルゴリズムは、認証コードの暗号化に関する最新技術で使用される任意のアルゴリズムとすることができる。顧客は、いつでも複数の認証手段を登録し、それらを同じ認証コードにリンクさせることができ、その認証は、前記顧客の認証コードにリンクされた複数の認証手段のうち任意の利用可能な認証手段をハッシングすることによって行うことができる。
【００２７】
顧客の認証コードを任意の利用可能な認証手段からハッシングすることの利点は、追加の専用ユニバーサル認証手段をまったく発行しなくてもよく、顧客がサービスを利用したい希望するたびに専用のユニバーサル認証手段を携帯しているかどうかに左右されないことである。サービスアカウントの判断には、要求されたサービスまたはそのサービスプロバイダと一緒に必要な認証コードが１つだけなので、顧客は、顧客が選択した認証手段によって、自分自身を認証することが可能になり得る。さらに、顧客が選択した複数の認証手段に顧客の認証コードをリンクさせることによって、顧客は、サービスを使用しようとするときに利用可能なこれらの認証手段のうち１つだけを持っていれば十分である。
【００２８】
本発明の方法は、前記コンフィデンシャルサービスアカウントコンテンツを、金融アカウントなどの前記顧客の別のサービスアカウントと関連付けることをさらに含み得る。たとえば、コンフィデンシャルサービスアカウント情報をコンサルタントした後、ある程度拡張するために、その情報に応じて顧客の金融アカウントを入出金することができる。
【００２９】
本発明による一実施形態では、本方法は、前記サービスプロバイダに新しいコンフィデンシャルサービスアカウントコンテンツを送信するステップをさらに含み得る。顧客によるサービスの使用時、好ましくはリアルタイムで、対応するサービスプロバイダに送信され得る新しいコンフィデンシャルサービスアカウントコンテンツが生成され得る。
【００３０】
さらに、本発明によれば、
−  各々が顧客と前記顧客がサブスクライブされているサービスとに対応する、複数のサービスアカウントを記憶するための手段と、
−  かかる顧客と要求されたサービスまたはそのサービスプロバイダとの認証時に、サービスアカウントを判断するための判断手段と、
−  前記サービスアカウントに対応するコンフィデンシャルサービスアカウントコンテンツをコンサルタントするためのコンサルティング手段と
を備える、複数のサービスのうち１つのサービスへのユニバーサルアクセスを提供するためのシステムにおいて、
前記認証手段が、前記サービスプロバイダとリアルタイムで通信するように適合され、前記サービスプロバイダが、前記コンフィデンシャルサービスアカウントコンテンツへのリアルタイムアクセスを提供することを特徴とするシステムが提供される。
【００３１】
本発明によるシステムは、前記顧客を認証するための認証手段をさらに備え得る。かかる認証手段は、チップカード、磁気ストリップカード、ＲＦＩＤカード、ＲＦＩＤタグ、電話、モバイルフォン、Ｂｌｕｅｔｏｏｔｈデバイス、バーコード、ＭＡＣアドレスなどのような任意の認証手段から、顧客の認証コードを読み取るための任意の種類のツールを備え得る。具体的には、かかる認証手段は、プロバイダのポイントオブセール（ＰＯＳ）、チップカードリーダ、磁気ストライプカードリーダ、バーコードリーダ、Ｂｌｕｅｔｏｏｔｈ受信機などに接続されたサービスプロバイダ端末とすることができる。かかる認証手段は、前記顧客の認証コードにリンクされた複数の認証手段のうち任意の利用可能な認証手段をハッシングするように適合され得る。
【００３２】
複数のサービスアカウントを記憶するための手段（サービスアカウントデータベースとも呼ばれる）とコンサルティング手段とは、サーバ、ウェブサーバ、またはクラウド中のサーバ上でホスティングされ得る。
【００３３】
判断手段は、サーバ、ウェブサーバ、クラウド中のサーバ上でホスティングされ得、あるいは、部分的にはサーバもしくはウェブサーバまたはクラウド中のサーバ上で、部分的にはＰＯＳ上でホスティングされ得る。
【００３４】
本発明による方法およびシステムは、各サービスアカウントに関する特定の認証手段をこれ以上必要としないという一般的な利点に加えて、顧客がサブスクライブされている各サービスアカウントに関する顧客の認証コードを収集する専用の認証手段さえも必要とされない。サービスアカウントの判断には、要求されたサービスまたはそのサービスプロバイダと一緒に必要な認証コードが１つだけなので、顧客は、顧客が選択した認証手段によって、自分自身を認証することが可能になり得る。さらに、顧客が選択した複数の認証手段に顧客の認証コードをリンクさせることによって、顧客は、サービスを使用しようとするときに利用可能なこれらの機器のうち１つだけを持っていれば十分である。
【００３５】
さらに、顧客が人々のグループのである場合、かかるグループのメンバーに属する複数の顧客認証コードは、同じサービスアカウントにリンクされ得る。たとえば、店舗のロイヤルティプログラムにサブスクライブされている会社に雇用されている従業者は、かかる店舗中の個人として彼ら自身を認証すると、同じロイヤリティプログラムアカウントにリンクされ得る。
【００３６】
さらに、本発明による方法およびシステムは、ビジネスインテリジェンス、顧客プロファイリングに基づくセグメント化通信、ミステリーショッピングなどの機能のうちの１つまたはそれらの組合せを提供することができる。
【００３７】
ビジネスインテリジェンスに関する特定の実施形態では、コンサルタントをするステップが、コスチューマおよびサービスプロバイダ以外のサービスに関与する当事者に、特定のコンフィデンシャルサービスアカウントコンテンツを通信するステップを含む、本発明の方法が提供され得る。コスチューマまたはサービスプロバイダ以外のかかる当事者は、たとえば、製造業者、保険会社などであり得る。
【００３８】
特定のコンフィデンシャルサービスアカウントデータを通信するステップは、それらの当事者において通信ダッシュボードによって行われ得る。たとえば、本発明によるシステムおよび方法は、各役割、すなわち、コスチューマ、ロイヤルティサービスプロバイダ、製造業者などが、役割固有のコンフィデンシャルサービスアカウントデータをコンサルタントするための通信ダッシュボードを使用する、マルチロールロイヤルティプログラムにおいて使用され得る。
【００３９】
サービスに関与する当事者ごとの通信ダッシュボードを使用することによって、消費者とサービスプロバイダとの間だけでなく、サービスプロバイダとたとえば製造業者との間に、または、消費者と製造業者との間にも通信リンクを設けることができる。各当事者は、自分の専用通信ダッシュボードを介して、特定のサービスの状態を管理することができる。
【００４０】
上述したように、顧客と要求されたサービスまたはそのサービスプロバイダとの認証のために必要とされる情報のみをサービスアカウントデータベースに記憶する、すなわち、サービスアカウントデータベースは、サービスプロバイダとＰＯＳと消費者との間のデータストリームを管理するが、それらのサービスプロバイダ、ＰＯＳおよび消費者のデータベースコンテンツは管理しない。
【実施例】
【００４１】
実施例１：
消費者は、自分がサブスクライブされているサービスを、サービスアカウントデータベース（ＳＡＤ）にハッシュが記憶されている自分のバンクカードにリンクさせる。さらに、コスチューマはまた、自分の携帯電話のハッシュをサービスアカウントデータベースに記憶させる。
【００４２】
顧客は、サービスプロバイダの施設にいるとき、顧客がそのときに持っている利用可能なものが何であれ、自分のバンクカードを用いて、または、自分の携帯電話によって自分自身をを認証する。図１に示すように、サービスプロバイダのポイントオブセール（ＰＯＳ）またはそれに接続されたバンクカード端末（Ｔ）上の認証プログラムは、カードまたは携帯電話をハッシングし（矢印１）、ＳＡＤに照会する（矢印２）。ＳＡＤ上の判断プログラムはハッシュを認識し、顧客の認証情報および照会の起点に基づいて、ＳＡＤ中の対応するサービスアカウントを応答する（矢印２）。
【００４３】
ＳＡＤは、サービスプロバイダのデータベース（ＳＰＤ１、２、３）にリアルタイムで接続し、ＳＡＤが必要とするコンフィデンシャルサービスアカウントコンテンツを照会する（矢印３）。ＳＡＤは、コンフィデンシャルサービスアカウントコンテンツをＰＯＳに提供し（矢印４）、ＰＯＳ上の視覚化システム（図示せず）を介して、それを視覚化し得る。ＰＯＳは、対応するＳＰＤとサービスの合意に達し、サービスを締結する。（矢印５）。
【００４４】
代替的には図２に示すように、対応するサービスアカウントを受信すると（矢印２）、ＰＯＳは、それが必要とするコンフィデンシャルサービスアカウントコンテンツについてサービスプロバイダのデータベース（ＳＰＤ１、２、３）に直接照会し、対応するＳＰＤとサービスとサービスの合意に達し、サービスを結ぶ。（矢印６）。
【００４５】
実施例２：
本発明による方法またはシステムを使用するマルチロールロイヤルティプログラムについて以下に記載し、図３に示す。
【００４６】
最初に、消費者は、消費者が選定した認証手段（ＩＤ１、ＩＤ２、ＩＤ３）を登録することができる自分の消費者ダッシュボードを使用する。消費者ダッシュボードは、それらの手段をハッシングする。ハッシュは、ＳＡＤにストリーミングされ（矢印７）、ＳＡＤにおいて、ハッシュはすべて同じ消費者認証コードにリンクされる。
【００４７】
消費者は自分の消費者ダッシュボードを介して、どのサービスプロバイダ（ＳＰＤ１、ＳＰＤ２、ＳＰＤ３）が、たとえば、製造業者がシステムにリンクされていて、ロイヤルティプログラムを提供するかについてコンサルタントをすることが可能である。消費者は、提供されたロイヤルティプログラム（Ｌ１、Ｌ２、Ｌ３）のいずれかにサブスクライブすることができる。サブスクライブされたロイヤルティプログラムは、ＳＡＤに記憶され（矢印８）、消費者認証コードにリンクされる。
【００４８】
ＰＯＳにおいて任意の利用可能な認証手段を用いて認証すると、消費者に対応するサービスアカウントと、消費者にサブスクライブされたロイヤルティプログラムとが判断される。ＰＯＳは、対応する製造業者のＳＰＤとサービスの合意に達する。
【００４９】
ＰＯＳと製造業者の現場の両方で、通信ダッシュボードはリアルタイムで更新され、それにより、ＰＯＳに、たとえば、製品のストックが減少していることを知らせ、製造者に特定の消費者が自分のロイヤルティプログラムを利用したことを知らせる。ＳＰＤ（製造業者）は即時に反応することができ、消費者が自分の消費者ダッシュボード上でコンサルタントをすることができる追加のロイヤルティをリアルタイムで送ることができる（矢印９）。
【図１】
0005968877.tif 000002
【図２】
0005968877.tif 000003
【図３】
0005968877.tif 000004